(57)【要約】【課題】被塗装体に対して単調とならない色合いの塗装を行うことを可能とする塗装装置を提供すること。【解決手段】木質様成型品ｗ等の被塗装体を塗装する塗装装置１０を、被塗装体に塗料ｐ１〜ｐ３を塗装する塗装ローラ１１、この塗装ローラ１１の塗料ｐ１〜ｐ３を均す均一ローラ１２、塗装ローラ１１と均一ローラ１２との間に形成される溝部１１ａに対し、互いに色の異なる複数の塗料ｐ１〜ｐ３をそれぞれ供給する複数の供給管１３ａ〜１３ｃ等を備えるように構成する。また、被塗装体に対する塗装において余った塗料を回収する回収タンク２５と、この回収タンク２５によって回収された塗料を塗装ローラ１２ａ、１２ｂ、２２ａ、２２ｂに対して再供給する再供給管２６とを設けておくことが望ましい。【選択図】　　　図１
2004050088.tif 000002
【特許請求の範囲】
【請求項１】
被塗装体を搬送する搬送手段と、搬送された被塗装体の上面に回転しながら当接し、この上面に塗料を塗装する塗装ローラと、この塗装ローラに対し、搬送方向後方に平行かつ近接した状態に配設され、前記塗装ローラの回転方向と逆方向に回転しながら前記塗装ローラの塗料を均す均一ローラとを備えた塗装装置であって、
前記塗装ローラと前記均一ローラとの間に形成される溝部に対し、互いに色の異なる複数の塗料をそれぞれ供給する複数の供給手段が設けられていることを特徴とする塗装装置。
【請求項２】
前記塗装ローラおよび前記均一ローラは、これらの回転軸方向に長尺であり、
前記供給手段は、長尺となる前記溝部に対し、前記塗料を前記回転軸方向の複数箇所で分割供給する分割供給手段を有することを特徴とする請求項１に記載の塗装装置。
【請求項３】
前記被塗装体に対する塗装において余った塗料を回収する回収手段と、この回収手段によって回収された塗料を前記溝部に対して再供給する再供給手段とを有することを特徴とする請求項１または請求項２に記載の塗装装置。
【請求項４】
前記塗装ローラおよび前記均一ローラは、これらの回転軸方向の端部に、前記溝部に供給された塗料の前記端部からの流出を防止する堰き止め部材を有することを特徴とする請求項１から請求項３のいずれか一項に記載の塗装装置。
【請求項５】
前記複数の塗料は、これらの色相が互いに略同じで、かつ、明度と彩度とのうち少なくとも一方が互いに異なるものであることを特徴とする請求項１から請求項４のいずれか一項に記載の塗装装置。
【請求項６】
前記被塗装体は、セルロース系微粉粒と樹脂とを混合しかつ溶融させて成形してなる木質様成型品であることを特徴とする請求項１から請求項５のいずれか一項に記載の塗装装置。
【発明の詳細な説明】
【０００１】
【発明の属する技術分野】
本発明は、例えば、セルロース系微粉粒と樹脂とを混合しかつ溶融させて成形してなる木質様成型品等の被塗装体に塗装する塗装装置に関する。
【０００２】
【背景の技術】
近年、天然木材に近似した木質様成型品が提案され、例えば、床材、壁材、天井材、化粧材等の建材として用いられている。この木質様成型品の例としては、例えば特開２００１−３１１２９１号公報等に示すものがある。前記公報に記載の木質様成型品は、木材等を原料とするセルロース材を粉砕して得られた粉砕粉と樹脂とを混合し、溶融させて成形してなるものである。この木質様成型品は、通常の木材に比べて安価であり、水分を吸収し難く、伸縮が少なく寸法安定性に優れるものである。この木質様成型品は、成型後、表面全体に塗装ローラ等の塗装手段によって塗料が塗装される。この場合、塗料としては、一般に天然木材に近い色の塗料が用いられる。
【０００３】
【発明が解決しようとする課題】
しかしながら、従来一般の技術においては、塗装ローラに対して一つの色の塗料を供給する単一の供給管しか備えられていないため、この一つの色のみによる塗装では色合いが単調となり、木質様成型品に天然木材の色合いが十分に出ないことが指摘されてきた。
本発明の課題は、被塗装体に対して塗装を行うに際して、複数の塗料が混在している状態を意図的につくりだし、意図的に色ムラを形成することを可能とする塗装装置を提供することである。
【０００４】
【課題を解決するための手段】
上記課題を解決するために、請求項１に記載の発明は、例えば図１〜図３に示すように、
被塗装体（木質様成型品ｗ）を搬送する搬送手段（搬送ローラ１７、２７）と、搬送された被塗装体（木質様成型品ｗ）の上面に回転しながら当接し、この上面に塗料を塗装する塗装ローラ１１、２１と、この塗装ローラ１１、２１に対し、搬送方向後方に平行かつ近接した状態に配設され、前記塗装ローラ１１、２１の回転方向と逆方向に回転しながら前記塗装ローラ１１、２１の塗料を均す均一ローラ１２、２２とを備えた塗装装置１０、２０であって、
前記塗装ローラ１１、２１と前記均一ローラ１２、２２との間に形成される溝部１１ａ、２１ａに対し、互いに色の異なる複数の塗料ｐ１〜ｐ３、ｐａ〜ｐｄをそれぞれ供給する複数の供給手段（供給管１３ａ〜１３ｃ、２３ａ〜２３ｄ）が設けられていることを特徴としている。
【０００５】
請求項１に記載の発明によれば、前記複数の供給手段（供給管１３ａ〜１３ｃ、２３ａ〜２３ｄ）によって、前記溝部１１ａ、２１ａに対して互いに色の異なる複数の塗料ｐ１〜ｐ３、ｐａ〜ｐｄが供給される。
【０００６】
この場合、複数の塗料ｐ１〜ｐ３、ｐａ〜ｐｄを同時に供給することで、これら塗料ｐ１〜ｐ３、ｐａ〜ｐｄが前記溝部１１ａ、２１ａで適度に停留しながら互いに混ざり合う。すなわち、これら複数の塗料ｐ１〜ｐ３、ｐａ〜ｐｄのそれぞれの色が混在している状態を意図的につくりだして木質様成型品ｗに塗装を行うことで、意図的に色ムラを形成することができる。
【０００７】
これに対して、複数の塗料ｐ１〜ｐ３、ｐａ〜ｐｄを、それぞれ時間差をおいて供給することもできる。
さらにこの場合、一つの被塗装体（木質様成型品ｗ）に対して行うことで重ね塗りをすることができる。この重ね塗りをすることによって、被塗装体（木質様成型品ｗ）に単調とならない色合いの塗装を行うことができる。
また、複数の被塗装体（木質様成型品ｗ）に対して行うことで、被塗装体（木質様成型品ｗ）に色のバリエーションをもたせることができる。
【０００８】
なお、前記塗装ローラと前記均一ローラとの隣接度合いは、塗料の粘度等によって微調整することが望ましい。
【０００９】
なお、前記被塗装体としては、例えば、セルロース材を粉砕して得られた粉砕粉と樹脂とを混合し、溶融させて成形してなる木質様成型品が挙げられる。この場合における塗料は、一般に天然木材に近い色のものが望ましい。
【００１０】
なお、前記供給手段としては、例えば、塗料を供給する供給管から前記塗装ローラに塗料を噴射させてもよいし、前記供給管から前記塗装ローラに塗料を垂下させてもよい。
【００１１】
なお、互いに色の異なる複数の塗料としては、これらの塗料の有する、色相、明度、彩度のうち少なくとも一つが異なればよい。
【００１２】
請求項２に記載の発明は、例えば図１、図３に示すように、請求項１に記載の塗装装置１０、２０において、
前記塗装ローラ１１、２１および前記均一ローラ１２、２２は、これらの回転軸方向に長尺であり、
前記供給手段（供給管１３ａ〜１３ｃ、２３ａ〜２３ｄ）は、長尺となる前記溝部１１ａ、２１ａに対し、前記塗料ｐ１〜ｐ３、ｐａ〜ｐｄを前記回転軸方向の複数箇所で分割供給する分割供給手段（垂下トレイ１４ａ、１４ｂ、連結部材２４）を有することを特徴としている。
【００１３】
請求項２に記載の発明によれば、前記塗装ローラ１１、２１および前記均一ローラ１２、２２が、それらの回転軸方向に長尺であるため、塗装範囲が拡大する。また、これによって長尺となる前記溝部１１ａ、２１ａに対し、前記分割供給手段（垂下トレイ１４ａ、１４ｂ、連結部材２４）によって前記塗料ｐ１〜ｐ３、ｐａ〜ｐｄが前記回転軸方向の複数箇所に分割供給される。したがって、前記塗装ローラ１１、２１による塗装範囲を、塗装ムラの発生を防止しながら拡大することができる。
【００１４】
なお、前記分割供給手段としては、例えば、前記塗装ローラに塗料を噴射させる場合には分岐管等である。また、前記塗装ローラに塗料を垂下させる場合には、前記塗装ローラの回転軸方向に沿って長尺に形成され、前記回転軸方向の複数箇所に、塗料を垂下させるための穴を有する垂下トレイ等が挙げられる。
【００１５】
請求項３に記載の発明は、例えば図３に示すように、請求項１または請求項２に記載の塗装装置２０において、
前記被塗装体（木質様成型品ｗ）に対する塗装において余った塗料ｐａ〜ｐｄを回収する回収手段（回収タンク２５）と、この回収手段（回収タンク２５、誘導部材２５ａ）によって回収された塗料ｐａ〜ｐｄを前記溝部１１ａ、２１ａに対して再供給する再供給手段（再供給管２６、ポンプ２６ａ）とを有することを特徴としている。
【００１６】
請求項３に記載の発明によれば、前記回収手段（回収タンク２５、誘導部材２５ａ）によって前記被塗装体（木質様成型品ｗ）に対する塗装において余った塗料ｐａ〜ｐｄが回収され、この回収された塗料ｐａ〜ｐｄが前記再供給手段（再供給管２６、ポンプ２６ａ）によって前記溝部１１ａ、２１ａに対して再供給されることで、塗料ｐａ〜ｐｄの無駄を省いてコストの低減を図ることができる。
【００１７】
なお、前記回収手段としては、例えば、前記塗装ローラの下方に設置される回収タンクが挙げられる。
【００１８】
請求項４に記載の発明は、例えば図１〜図３に示すように、請求項１から請求項３のいずれか一項に記載の塗装装置１０、２０において、
前記塗装ローラ１１、２１および前記均一ローラ１２、２２は、これらの回転軸方向の端部に、前記溝部１１ａ、２１ａに供給された塗料ｐ１〜ｐ３、ｐａ〜ｐｄの前記端部からの流出を防止する堰き止め部材１８、２８を有することを特徴としている。
【００１９】
請求項４に記載の発明によれば、前記堰き止め部材１８、２８によって、前記溝部１１ａ、２１ａに供給された塗料ｐ１〜ｐ３、ｐａ〜ｐｄの前記端部からの流出が防止されるため、塗装装置１０、２０が塗料ｐ１〜ｐ３、ｐａ〜ｐｄで汚れることが防止されるとともに、塗料ｐ１〜ｐ３、ｐａ〜ｐｄの無駄を省いてコストの低減を図ることができる。また、前記溝部１１ａ、２１ａに塗料ｐ１〜ｐ３、ｐａ〜ｐｄが確実に停留するため、塗装ローラ１１、２１に塗料ｐ１〜ｐ３、ｐａ〜ｐｄが満遍なく供給され、塗装ムラの発生も防止される。
【００２０】
請求項５に記載の発明は、例えば図１に示すように、請求項１から請求項４のいずれか一項に記載の塗装装置１０において、
前記複数の塗料ｐ１〜ｐ３は、これらの色相が互いに略同じで、かつ、明度と彩度とのうち少なくとも一方が互いに異なるものであることを特徴としている。
【００２１】
請求項５に記載の発明によれば、前記複数の塗料ｐ１〜ｐ３が、これらの互いに色相が略同じで、かつ、明度と彩度とのうち少なくとも一方が互いに異なるものであるので、被塗装体（木質様成型品ｗ）に対して、単調とならず、かつ、美しい塗装を行うことができる。
【００２２】
なお、互いに色相が略同じで、かつ、明度と彩度とのうち少なくとも一方が異なる複数の塗料とは、例えば、茶色の塗料、この茶色よりやや黒みを帯びた色の塗料、前記茶色よりやや白みを帯びた色の塗料、等である。
【００２３】
請求項６に記載の発明は、請求項１から請求項５のいずれか一項に記載の塗装装置において、
前記被塗装体は、セルロース系微粉粒と樹脂とを混合しかつ溶融させて成形してなる木質様成型品であることを特徴としている。
【００２４】
請求項６に記載の発明によれば、前記被塗装体は、原料が比較的安価なセルロース材を粉砕して得られた粉砕粉と樹脂とを混合し、溶融させて成形してなる木質様成型品である。この木質様成型品は、通常の木材に比べて、水分を吸収し難く、伸縮が少なく寸法安定性に優れるものである。この木質様成型品によって天然木材よりも安価に、意匠的、性能的にも優れた建材を提供することができる。
【００２５】
【発明の実施の形態】
［第１の実施の形態］
以下、図面を参照して本発明の実施の形態例について説明する。図１において、符号１０は本発明に係る塗装装置である。
【００２６】
先ず、本発明に係る塗装装置１０の構成について詳細に説明する。本発明に係る塗装装置１０は、図１に示すように、木質様成型品ｗ（被塗装体）を一方向に搬送する搬送ローラ１７（搬送手段）、この搬送ローラ１７によって搬送される木質様成型品ｗの上面に回転しながら当接し、この上面に塗料ｐ１〜ｐ３を塗装する塗装ローラ１１、この塗装ローラ１１に対し、搬送方向後方に平行かつ近接した状態に配設され、塗装ローラ１１の回転方向と逆方向に回転しながら塗装ローラ１１の塗料ｐ１〜ｐ３を均す均一ローラ１２、塗装ローラ１１と均一ローラ１２との間に形成される溝部１１ａに対し、互いに異なる３つの色の塗料ｐ１〜ｐ３をそれぞれ供給する３本の供給管１３ａ〜１３ｃ（供給手段）、これら供給管１３ｂ、１３ｃから垂下される塗料ｐ２、ｐ３を一次的に受け、溝部１１ａに対して垂下させる２本の垂下トレイ１４ａ、１４ｂ（供給手段、分割供給手段）、溝部１１ａに供給された塗料ｐ１〜ｐ３の流出を防止する堰き止め部材１８、等から概略構成される。
【００２７】
木質様成型品ｗは、原料が比較的安価なセルロース材を粉砕して得られた粉砕粉と樹脂とを混合し、溶融させて成形してなるものである。この木質様成型品ｗは、通常の木材に比べて、水分を吸収し難く、伸縮が少なく寸法安定性に優れるものである。この木質様成型品ｗは、例えば、床材、壁材、天井材、化粧材等の建材として用いられる。
【００２８】
ここで、セルロース材の原料は一般に木材であるが、例えば、バカス、稲稲、パルプ等を原料としてもよい。また、木材の種類は限られず、例えば工場や建築現場で捨てられる廃材を用いてもよい。そして原料に磨砕処理、すなわち、木材等の粗粉砕物から微粉砕物にする粉砕処理と、微粉砕された粉粒を、繊維状態のものが絡み合い、その表面が繊毛で覆われている状態の粉粒形状から、表面に繊毛が少ない状態となるように表面研磨する研磨処理とを併せた処理を施すことによってセルロース系微粉粒が得られる。また、樹脂としては、例えば塩化ビニル樹脂、ポリエチレン樹脂、ポリプロピレン樹脂等がある。
【００２９】
搬送ローラ１７は、複数並設され、木質様成型品ｗの下面に回転しながら当接する。
【００３０】
塗装ローラ１１は、木質様成型品ｗの上面に回転しながら当接し、この上面に塗料ｐ１〜ｐ３を塗装するものであり、回転軸方向に長尺に形成されている。
【００３１】
均一ローラ１２は、塗装ローラ１１と平行にかつ近接した状態に配設されることにより、塗装ローラ１１の塗料ｐ１〜ｐ３を一定厚さに均す役割を担うものである。なお、塗装ローラ１１と均一ローラ１２との近接度合いは、塗料ｐ１〜ｐ３の粘度等によって微調整されている。均一ローラ１２は、木質様成型品ｗに当接しないように塗装ローラ１１よりも小径に形成され、回転軸方向に長尺に形成されている。均一ローラ１２は、塗装ローラ１１の回転方向と逆方向に回転し、塗装ローラ１１との間には溝部１１ａが形成されるようになっている。
【００３２】
堰き止め部材１８は、塗装ローラ１１および均一ローラ１２の回転軸方向の端部に設けられ、溝部１１ａに供給された塗料ｐ１〜ｐ３の流出を防止する。
【００３３】
３本の供給管１３ａ〜１３ｃは、互いに異なる３つ色の塗料ｐ１〜ｐ３がそれぞれ貯め込まれた、図示しない３つの塗料タンクにそれぞれ連結されている。これら３つの塗料ｐ１〜ｐ３は、互いに色相が略同じで、かつ、互いに明度が異なるものである。すなわち、３つの塗料ｐ１〜ｐ３とも天然木材の色であるが、標準的な茶色の塗料ｐ１、この茶色よりやや黒みを帯びた色の塗料ｐ２、前記茶色よりやや白みを帯びた色の塗料ｐ３である。
【００３４】
３本の供給管１３ａ〜１３ｃのうち、標準的な茶色の塗料ｐ１の供給管１３ａは、２本の塗装ローラ１２ａ、１２ｂのローラ面の隣接部の直上部において供給口が下方に向くように配設されている。
また、茶色よりやや黒みを帯びた色の塗料ｐ２の供給管１３ｂと、茶色よりやや白みを帯びた色の塗料ｐ３の供給管１３ｃとは、それぞれ２本の塗装ローラ１２ａ、１２ｂの上部で、かつ、それぞれの塗装ローラ１２ａ、１２ｂの回転軸より前記隣接部側となる位置において供給口が下方に向くように、それぞれ配設されている。
【００３５】
２本の垂下トレイ１４ａ、１４ｂは、茶色よりやや黒みを帯びた色の塗料ｐ２の供給管１３ｂの直下部と、茶色よりやや白みを帯びた色の塗料ｐ３の供給管１３ｃの直下部とにそれぞれ配設されている。これら２本の垂下トレイ１４ａ、１４ｂは、それぞれ塗装ローラ１２ａ、１２ｂの回転軸方向に沿って長尺に形成され、下部には複数箇所に、図示しない穴が形成されている。
【００３６】
供給管１３ａからは、塗装ローラ１１と均一ローラ１２との間に形成された溝部１１ａに対し、標準的な茶色の塗料ｐ１が垂下される。
【００３７】
供給管１３ｂと供給管１３ｃとからは、茶色よりやや黒みを帯びた色の塗料ｐ２と、茶色よりやや白みを帯びた色の塗料ｐ３とが、それぞれ垂下トレイ１４ａ、１４ｂとに垂下される。茶色よりやや黒みを帯びた色の塗料ｐ２と、茶色よりやや白みを帯びた色の塗料ｐ３とは、これら垂下トレイ１４ａ、１４ｂ上でそれぞれ塗装ローラ１１、均一ローラ１２の回転軸方向に広がり、複数箇所に形成された穴から、塗装ローラ１１と均一ローラ１２との間に形成された溝部１１ａに対してそれぞれ垂下される。ここで、塗料ｐ１〜ｐ３の濃度や供給量は、塗料ｐ２と塗料ｐ３が完全に混ざり合ったときに塗料ｐ１と同一の色相となるように調整されており、塗料ｐ２と塗料ｐ３は、塗料ｐ１を基準色として再利用される。
【００３８】
本実施の形態によれば、以下のような効果を得ることができる。
▲１▼３本の供給管１３ａ〜１３ｃによって、溝部１１ａに対して互いに色の異なる３つの塗料ｐ１〜ｐ３を同時に供給することで、これら塗料ｐ１〜ｐ３が溝部１１ａ、２１ａで適度に停留しながら互いに混ざり合う。これら複数の塗料ｐ１〜ｐ３のそれぞれの色が混在している状態で、木質様成型品ｗに塗装を行うことで、塗料ｐ１の部分、塗料ｐ２の部分、塗料ｐ３の部分、塗料ｐ１＋塗料ｐ２の部分、塗料ｐ１＋塗料ｐ３の部分、塗料ｐ２＋塗料ｐ３の部分、塗料ｐ１＋塗料ｐ２＋塗料ｐ３の部分、等が混在している状態を意図的につくりだし、意図的に色ムラを形成することができる。
【００３９】
▲２▼塗装ローラ１１および均一ローラ１２が、それらの回転軸方向に長尺であるため、塗装範囲が拡大する。また、これによって長尺となる溝部１１ａに対し、垂下トレイ１４ａ、１４ｂによって前記塗料ｐ１〜ｐ３が前記回転軸方向の複数箇所に分割供給される。したがって、前記塗装ローラ１１による塗装範囲を、塗装ムラの発生を防止しながら拡大することができる。
【００４０】
▲３▼堰き止め部材１８によって、溝部１１ａに供給された塗料ｐ１〜ｐ３の流出が防止されるため、塗装装置１０が塗料ｐ１〜ｐ３で汚れることが防止されるとともに、塗料ｐ１〜ｐ３の無駄を省いてコストの低減を図ることができる。また、溝部１１ａに塗料ｐ１〜ｐ３が確実に停留するため、塗装ローラ１１に塗料ｐ１〜ｐ３が満遍なく供給され、塗装ムラの発生も防止される。
【００４１】
▲４▼３つの塗料ｐ１、ｐ２、ｐ３が、これらの互いに色相が略同じで、かつ、明度と彩度とのうち少なくとも一方が互いに異なるものであるので、木質様成型品ｗに単調とならず、かつ、美しい塗装を行うことができる。
【００４２】
▲５▼被塗装体は、原料が比較的安価なセルロース材を粉砕して得られた粉砕粉と樹脂とを混合し、溶融させて成形してなる木質様成型品ｗである。この木質様成型品ｗは、通常の木材に比べて、水分を吸収し難く、伸縮が少なく寸法安定性に優れるものである。この木質様成型品によって、天然木材よりも安価に、意匠的、性能的にも優れた建材を提供することができる。
【００４３】
なお、本実施の形態においては、溝部１１ａに対して互いに色の異なる３つの塗料ｐ１〜ｐ３を同時に供給しているが、互いに色の異なる３つの塗料ｐ１〜ｐ３を、それぞれ時間差をおいて供給することもできる。
【００４４】
この場合、一つの木質様成型品ｗに対して行うことで重ね塗りをすることができる。この重ね塗りをすることによって、木質様成型品ｗに単調とならない色合いの塗装を行うことができる。
また、複数の木質様成型品ｗに対して行うことで、木質様成型品ｗに色のバリエーションをもたせることができる。
【００４５】
［第２の実施の形態］
本実施の形態においては、本発明に係る塗装装置２０を用いた、［第１の実施の形態］と異なる塗装方法を中心に説明する。
【００４６】
先ず、本発明に係る塗装装置２０の構成について詳細に説明する。本発明に係る塗装装置２０は、図２に示すように、木質様成型品ｗ（被塗装体）を一方向に搬送する搬送ローラ２７、この搬送ローラ２７上によって搬送される木質様成型品ｗの上面に回転しながら当接し、この上面に塗料ｐａ〜ｐｄを塗装する塗装ローラ２１、この塗装ローラ２１に対し、搬送方向後方に平行かつ近接した状態に配設され、塗装ローラ２１の回転方向と逆方向に回転しながら塗装ローラ２１の塗料ｐａ〜ｐｄを均す均一ローラ２２、塗装ローラ２１と均一ローラ２２との間に形成される溝部２１ａに対し、互いに異なる４つの色をそれぞれ供給する４本の供給管２３ａ〜２３ｄ（供給手段）、４本の供給管２３ａ〜２３ｄをそれらの供給口近傍で連結する連結部材２４、塗装ローラ２１による木質様成型品ｗに対する塗装において余った塗料ｐａ〜ｐｄを回収する、誘導部材２５ａを含む回収タンク２５、この回収タンク２５によって回収された塗料ｐａ〜ｐｄを塗装ローラ２１に対して再供給する再供給管２６（再供給手段）、溝部２１ａに供給された塗料ｐａ〜ｐｄの流出を防止する堰き止め部材２８、等から概略構成される。
【００４７】
なお、［第１の実施の形態］と同じ構成については説明を省略する。
【００４８】
連結部材２４は、作業員が手動で揺動するものであり、これによって４本の供給管２３ａ〜２３ｄからそれぞれ供給される塗料ｐａ〜ｐｄが満遍なく塗装ローラ２１に供給されるようになっている。
【００４９】
４本の供給管２３ａ〜２３ｄはそれぞれ塗料タンク２３ａ１〜２３ｄ１を備え、それぞれ、図２において左からＡ色、Ｂ色、Ｃ色、Ｄ色の塗料ｐａ〜ｐｄが貯め込まれている。なお、４つの塗料タンク２３ａ１〜２３ｄ１は、それぞれエア圧送装置２３ａ２〜２３ｄ２を備えており、それぞれ塗料ｐａ〜ｐｄの供給量を調整可能である。
【００５０】
誘導部材２５ａおよび回収タンク２５は、塗装ローラ２１の下方に設置される。
【００５１】
再供給管２６は、一端が回収タンク２５に挿入され、他端において溝部２１ａに供給するものであり、途中にポンプ２６ａを備える。
【００５２】
以下、塗装装置２０を用いた木質様成型品ｗに対する塗装方法を説明する。
【００５３】
なお、４つの塗料タンク２３ａ１〜２３ｄ１から供給される塗料ｐａ〜ｐｄの供給量、濃度等を含めて、ｐａ：ｐｂ：ｐｃ：ｐｄ＝３：３：１：１と調整することで、これらの塗料ｐａ〜ｐｄが互いに混ざり合って標準色ｃ０となるように設定されている。ここで、ｐｃは黒である。
【００５４】
［濃色塗装工程］
先ず、４つの塗料タンク２３ａ１〜２３ｄ１から供給される塗料ｐａ〜ｐｄの供給量をそれぞれ調整し、ｐａ：ｐｂ：ｐｃ：ｐｄ＝１．５：１．５：１：０．５として、塗装ローラ２１に供給する。これらの塗料ｐａ〜ｐｄが塗装ローラ２１上で互いに混ざり合うことにより、木質様成型品ｗは、標準色ｃ０より黒みを帯びた色ｃ１に塗装される。この際、連結部材２４を適宜、手動で揺動する。
【００５５】
同時に、この塗装において余った塗料ｐａ〜ｐｄを回収タンク２５に回収する。
【００５６】
［薄色塗装工程］
次に、４つの塗料タンク２３ａ１〜２３ｄ１から供給される塗料ｐａ〜ｐｄの供給量をそれぞれ調整し、ｐａ：ｐｂ：ｐｃ：ｐｄ＝１．５：１．５：０：０．５として、溝部２２ａに供給する。これらの塗料ｐａ〜ｐｄが塗装ローラ２１上で互いに混ざり合うことにより、木質様成型品ｗは、標準色より白みを帯びた色ｃ２に塗装される。この際、連結部材２４を適宜、手動で揺動する。
【００５７】
同時に、この塗装において余った塗料ｐａ〜ｐｄを、［濃色塗装工程］において塗料ｐａ〜ｐｄが回収された回収タンク２５に重ねて回収する。
【００５８】
なお、［濃色塗装工程］と［薄色塗装工程］とにおいては、同じ木質様成型品ｗに重ね塗りをしてもよいし、別の木質様成型品ｗにそれぞれ塗装してもよい。
【００５９】
［標準色塗装工程］
次に、回収タンク２５を適宜攪拌する。これによって、ｐａ：ｐｂ：ｐｃ：ｐｄ＝３：３：１：１、となり、これを再供給管２６によって塗装ローラ２１に再供給することで、木質様成型品ｗは標準色ｃ０に塗装される。
【００６０】
以上のように、複数の塗料ｐａ〜ｐｄの供給量を適宜調整することにより、それぞれ、標準色ｃ０、標準色ｃ０より黒みを帯びた色ｃ１、標準色より白みを帯びた色ｃ２となり、かつ、標準色ｃ０より黒みを帯びた色ｃ１と標準色より白みを帯びた色ｃ２とを混ぜ合わせることにより標準色ｃ０となるように設定しておくことで、工程を調整することで塗料の節約をすることができる。すなわち、標準色ｃ０より黒みを帯びた色ｃ１を塗装する［濃色塗装工程］と、標準色ｃ０より白みを帯びた色ｃ２を塗装する［薄色塗装工程］とを隣接させ、さらにそれぞれの工程において余った塗料ｐａ〜ｐｄを回収タンク２５に重ねて回収することで、回収タンク２５に回収される塗料ｐａ〜ｐｄは互いに混ざり合って標準色ｃ０となる。この塗料ｐａ〜ｐｄを再供給管２６によって塗装ローラ２１に再供給することで、木質様成型品ｗは標準色ｃ０に塗装される。以上により、塗料ｐａ〜ｐｄの節約をすることができる。
【００６１】
本実施の形態によれば、［第１の実施の形態］における▲１▼、▲３▼、▲５▼と同様の効果を得ることができる他、以下のような効果を得ることができる。
【００６２】
▲６▼回収タンク２５によって木質様成型品ｗに対する塗装において余った塗料ｐａ〜ｐｄが回収され、この回収された塗料ｐａ〜ｐｄが再供給管２６によって塗装ローラ２１に対して再供給されることで、塗料ｐａ〜ｐｄの無駄を省いてコストの低減を図ることができる。
【００６３】
▲７▼連結部材を手動で揺動することで、４本の供給管から供給される塗料ｐａ〜ｐｄが塗装ローラ２１に満遍なく供給され、塗装ムラの発生を防止することができる。
【００６４】
【発明の効果】
請求項１に記載の発明によれば、前記複数の供給手段によって、前記溝部に対して互いに色の異なる複数の塗料が供給される。
この場合、複数の塗料を同時に供給することで、これら塗料が前記溝部で適度に停留しながら互いに混ざり合う。すなわち、これら複数の塗料のそれぞれの色が混在している状態を意図的につくりだして被塗装体に塗装を行うことで、意図的に色ムラを形成することができる。
【００６５】
これに対して、複数の塗料を、それぞれ時間差をおいて供給することもできる。さらにこの場合、一つの被塗装体に対して行うことで重ね塗りをすることができる。この重ね塗りをすることによって、被塗装体に単調とならない色合いの塗装を行うことができる。また、複数の被塗装体に対して行うことで、被塗装体に色のバリエーションをもたせることができる。
【００６６】
請求項２に記載の発明によれば、請求項１に記載の発明と同様の効果が得られることは勿論のこと、前記塗装ローラによる塗装範囲を、塗装ムラの発生を防止しながら拡大することができる。
【００６７】
請求項３に記載の発明よれば、請求項１または請求項２に記載の発明と同様の効果が得られることは勿論のこと、塗料の無駄を省いてコストの低減を図ることができる。
【００６８】
請求項４に記載の発明によれば、請求項１から請求項３のいずれか一項に記載の発明と同様の効果が得られることは勿論のこと、前記溝部に供給された塗料の前記端部からの流出が防止されるため、塗装装置が塗料で汚れることが防止されるとともに、塗料の無駄を省いてコストの低減を図ることができる。また、前記溝部に塗料が確実に停留するため、塗装ローラに塗料が満遍なく供給され、塗装ムラの発生も防止される。
【００６９】
請求項５に記載の発明よれば、請求項１から請求項４のいずれか一項に記載の発明と同様の効果が得られることは勿論のこと、被塗装体に単調とならず、かつ、美しい塗装を行うことができる。
【００７０】
請求項６に記載の発明によれば、請求項１から請求項５のいずれか一項に記載の発明と同様の効果が得られることは勿論のこと、前記木質様成型品によって、天然木材よりも安価に、意匠的、性能的にも優れた建材を提供することができる。
【図面の簡単な説明】
【図１】本発明に係る塗装装置を示す斜視図である。
【図２】本発明に係る塗装装置を示す側面図である。
【図３】本発明に係る塗装装置を示す模式図である。
【符号の説明】
１０　　　　　　　塗装装置
１１　　　　　　塗装ローラ
１２　　　　　　均一ローラ
１３ａ〜１３ｃ　供給管（供給手段）
１４ａ、１４ｂ　垂下トレイ（分割供給手段）
１７　　　　　　搬送ローラ（搬送手段）
２０　　　　　　　塗装装置
２１　　　　　　塗装ローラ
２２　　　　　　均一ローラ
２３ａ〜２３ｄ　供給管（供給手段）
２４　　　　　　連結部材（分割供給手段）
２５　　　　　　回収タンク（回収手段）
２５ａ　　　　誘導部材（回収手段）
２６　　　　　　再供給管（再供給手段）
２６ａ　　　　ポンプ（再供給手段）
２７　　　　　　搬送ローラ（搬送手段）
【図１】
2004050088.tif 000003
【図２】
2004050088.tif 000004
【図３】
2004050088.tif 000005